(57)【要約】【課題】ユーザが移動端末において番組の視聴を中断した後、中断した点から視聴を再開することを一層確実かつ容易にする技術を提供する。【解決手段】テレビジョン放送を受信する受信手段と、前記受信手段が受信した放送番組に係る画像を表示する表示部と、前記受信手段が受信中の放送番組を示す番組情報を外部の記録装置へ送信する第１送信手段と、前記受信中の放送番組の前記表示部による表示を中断した中断箇所を示す中断情報を前記記録装置へ送信する第２送信手段と、前記記録装置が前記番組情報に基づいて記録した放送番組のデータであって、前記表示部による表示を中断した放送番組の前記中断箇所以降のデータの再生を指示する再生指示情報を前記記録装置へ送信する第３送信手段と、を備えることを特徴とする受信装置を提供する。【選択図】図４
2008124651.tif 000002
【特許請求の範囲】
【請求項１】
テレビジョン放送を受信する受信手段と、
前記受信手段が受信した放送番組に係る画像を表示する表示部と、
前記受信手段が受信中の放送番組を示す番組情報を外部の記録装置へ送信する第１送信手段と、
前記受信中の放送番組の前記表示部による表示を中断した中断箇所を示す中断情報を前記記録装置へ送信する第２送信手段と、
前記記録装置が前記番組情報に基づいて記録した放送番組のデータであって、前記表示部による表示を中断した放送番組の前記中断箇所以降のデータの再生を指示する再生指示情報を前記記録装置へ送信する第３送信手段と、
を備えることを特徴とする受信装置。
【請求項２】
前記受信手段が放送番組を受信する指示を受けて前記放送番組の受信を開始すると、前記第１送信手段は前記番組情報を送信することを特徴とする請求項１に記載の受信装置。
【請求項３】
前記受信中の放送番組の前記表示部による表示を中断させる指示を受けると、前記第２送信手段は前記中断情報を送信することを特徴とする請求項１又は２に記載の受信装置。
【請求項４】
前記第２送信手段による前記中断情報の送信後、前記放送番組の表示再開を指示する表示再開指示を受けると、前記第３送信手段は前記再生指示情報を送信することを特徴とする請求項１乃至３のいずれか１項に記載の受信装置。
【請求項５】
前記再生指示情報は、前記記録装置が再生した放送番組のデータの出力先を指定する出力先情報を含むことを特徴とする請求項１乃至４のいずれか１項に記載の受信装置。
【請求項６】
前記第１送信手段は、無線通信網を通じて前記記録装置と通信し、
前記第２送信手段及び前記第３通信手段は、前記無線通信網又は近距離無線通信により前記記録装置と通信する
ことを特徴とする請求項１乃至５のいずれか１項に記載の受信装置。
【請求項７】
前記第３送信手段は、前記出力先として前記受信装置を指定し、
前記再生指示情報に従って前記記録装置が出力した前記放送番組のデータを前記記録装置から受信し、前記受信した放送番組のデータに係る画像を前記表示部に表示する受信表示手段を更に備え、
前記第１送信手段、前記第２送信手段、前記第３送信手段、及び、前記受信表示手段は、無線通信網を通じて前記記録装置と通信する
ことを特徴とする請求項５に記載の受信装置。
【請求項８】
テレビジョン放送を受信する第１受信手段と、
表示部を備える外部の受信装置が受信中のテレビジョン放送番組を示す番組情報を、前記受信装置から受信する第２受信手段と、
前記番組情報が示す放送番組を前記第１受信手段により受信し、前記受信した放送番組のデータを記録する記録手段と、
前記受信装置が前記受信中の放送番組の前記表示部による表示を中断した中断箇所を示す中断情報を前記受信装置から受信する第３受信手段と、
前記中断情報が示す中断箇所を、前記記録手段が記録した放送番組のデータ中の再生開始点として記憶する記憶手段と、
を備えることを特徴とする記録装置。
【請求項９】
前記記録手段が記録した放送番組のデータの再生を指示する再生指示情報を受信する第４受信手段と、
前記第４受信手段により前記再生指示情報を受信すると、前記記録手段が記録した放送番組のデータを前記再生開始点より再生して出力する再生出力手段と、
を更に備えることを特徴とする請求項８に記載の記録装置。
【請求項１０】
前記再生指示情報は、前記再生出力手段が再生して出力する放送番組のデータの出力先を指定する出力先情報を含むことを特徴とする請求項９に記載の記録装置。
【請求項１１】
前記出力先情報が前記出力先として前記受信装置を指定している場合、前記再生出力手段は、無線通信網を通じて再生した放送番組のデータを前記受信装置へ出力することを特徴とする請求項１０に記載の記録装置。
【請求項１２】
前記第１受信手段は、ＭＰＥＧ２形式で符号化された前記放送番組のデータを出力し、
前記放送番組のデータの符号化形式をＭＰＥＧ２形式からＨ２６４形式に変換する変換手段を更に備え、
前記出力先情報が前記出力先として前記受信装置を指定している場合、前記再生出力手段は、前記再生した放送番組のデータの符号化形式を前記変換手段によりＨ２６４形式に変換して前記受信装置へ出力する
ことを特徴とする請求項１０又は１１に記載の記録装置。
【請求項１３】
前記第２受信手段及び前記第３受信手段は無線通信網を通じて前記受信装置と通信し、
前記第４受信手段は、近距離無線通信により前記受信装置又は前記記録装置のリモートコントローラから前記再生指示情報を受信するか、或いは、前記記録装置の操作部から前記再生指示情報を受信する
ことを特徴とする請求項９又は１０に記載の記録装置。
【請求項１４】
受信装置と記録装置とを備える記録再生システムであって、
前記受信装置は、
テレビジョン放送を受信する受信手段と、
前記受信手段が受信した放送番組に係る画像を表示する表示部と、
前記受信手段が受信中の放送番組を示す番組情報を外部の記録装置へ送信する第１送信手段と、
前記受信中の放送番組の前記表示部による表示を中断した中断箇所を示す中断情報を前記記録装置へ送信する第２送信手段と、
前記記録装置が前記番組情報に基づいて記録した放送番組のデータであって、前記表示部による表示を中断した放送番組の前記中断箇所以降のデータの再生を指示する再生指示情報を前記記録装置へ送信する第３送信手段と、
を備え、
前記記録装置は、
テレビジョン放送を受信する第１受信手段と、
前記番組情報を前記受信装置から受信する第２受信手段と、
前記番組情報が示す放送番組を前記第１受信手段により受信し、前記受信した放送番組のデータを記録する記録手段と、
前記中断情報を前記受信装置から受信する第３受信手段と、
前記中断情報が示す中断箇所を、前記記録手段が記録した放送番組のデータ中の再生開始点として記憶する記憶手段と、
前記再生指示情報を受信する第４受信手段と、
前記第４受信手段により前記再生指示情報を受信すると、前記記録手段が記録した放送番組のデータを前記再生開始点より再生して出力する再生出力手段と、
を備えることを特徴とする記録再生システム。
【請求項１５】
テレビジョン放送を受信する受信手段と、前記受信手段が受信した放送番組に係る画像を表示する表示部と、を備える受信装置の制御方法であって、
前記受信手段が受信中の放送番組を示す番組情報を外部の記録装置へ送信する第１送信工程と、
前記受信中の放送番組の前記表示部による表示を中断した中断箇所を示す中断情報を前記記録装置へ送信する第２送信工程と、
前記記録装置が前記番組情報に基づいて記録した放送番組のデータであって、前記表示部による表示を中断した放送番組の前記中断箇所以降のデータの再生を指示する再生指示情報を前記記録装置へ送信する第３送信工程と、
を備えることを特徴とする制御方法。
【請求項１６】
テレビジョン放送を受信する第１受信手段を備える記録装置の制御方法であって、
表示部を備える外部の受信装置が受信中のテレビジョン放送番組を示す番組情報を、前記受信装置から受信する第２受信工程と、
前記番組情報が示す放送番組を前記第１受信手段により受信し、前記受信した放送番組のデータを記録する記録工程と、
前記受信装置が前記受信中の放送番組の前記表示部による表示を中断した中断箇所を示す中断情報を前記受信装置から受信する第３受信工程と、
前記中断情報が示す中断箇所を、前記記録工程において記録された放送番組のデータ中の再生開始点として記憶する記憶工程と、
を備えることを特徴とする制御方法。
【請求項１７】
テレビジョン放送を受信する受信手段と、前記受信手段が受信した放送番組に係る画像を表示する表示部と、を備えるコンピュータを、
前記受信手段が受信中の放送番組を示す番組情報を外部の記録装置へ送信する第１送信手段、
前記受信中の放送番組の前記表示部による表示を中断した中断箇所を示す中断情報を前記記録装置へ送信する第２送信手段、
前記記録装置が前記番組情報に基づいて記録した放送番組のデータであって、前記表示部による表示を中断した放送番組の前記中断箇所以降のデータの再生を指示する再生指示情報を前記記録装置へ送信する第３送信手段、
として機能させるためのプログラム。
【請求項１８】
テレビジョン放送を受信する第１受信手段を備えるコンピュータを、
表示部を備える外部の受信装置が受信中のテレビジョン放送番組を示す番組情報を、前記受信装置から受信する第２受信手段、
前記番組情報が示す放送番組を前記第１受信手段により受信し、前記受信した放送番組のデータを記録する記録手段、
前記受信装置が前記受信中の放送番組の前記表示部による表示を中断した中断箇所を示す中断情報を前記受信装置から受信する第３受信手段、
前記中断情報が示す中断箇所を、前記記録手段が記録した放送番組のデータ中の再生開始点として記憶する記憶手段、
として機能させるためのプログラム。
【請求項１９】
請求項１７又は１８に記載のプログラムを記憶したコンピュータ読み取り可能な記憶媒体。
【発明の詳細な説明】
【技術分野】
【０００１】
本発明は、放送番組を受信する、受信装置、記録装置、記録再生システム、受信装置の制御方法、及び、記録装置の制御方法に関する。
【背景技術】
【０００２】
２００６年春より、携帯電話やカーナビゲーションシステム（カーナビ）などの移動端末向けの地上波デジタル放送（いわゆるワンセグ放送）のサービスが開始された。これにより、例えばワンセグ放送を受信可能な携帯電話のユーザは、通勤途中の電車内などでもテレビ番組の視聴が可能になった。
【０００３】
ユーザが例えば電車内など移動中にテレビ番組を視聴している場合、降車時など、番組の途中であっても視聴を中断せざるを得ない場合が生じる。従って、視聴を中断した番組の続きを、何らかの方法で視聴可能とする技術が望まれている。例えば、録画機能を備えた移動端末であれば、ユーザは、視聴を中断する際に録画を開始させ、所望のタイミングで録画結果を再生することで、番組の続きを視聴することができる。
【０００４】
また、ワンセグ放送の使用帯域は比較的狭いため、画質はそれほど高くない。そこで、ユーザがワンセグ放送で視聴した番組（又は番組の一部）を、後刻、より高画質な据置型テレビジョン向けの画質で視聴可能にする技術が提案されている（特許文献１）。特許文献１の技術によれば、据置型の記録／再生装置が、ユーザが携帯電話で視聴中の番組を並行して録画する。ユーザは、携帯電話で視聴した番組のうち、改めて高画質で視聴したい番組のプレイリストを作成する。そして、作成したプレイリストを携帯電話から記録／再生装置へ送信することで、プレイリストが示す番組を記録／再生装置に再生させて視聴する。
【特許文献１】特開２００５−２７７５８５号公報
【発明の開示】
【発明が解決しようとする課題】
【０００５】
一般的に、移動端末が備える記憶媒体の容量はそれほど多くないため、録画できる番組の量（録画時間）はそれほど長くはない。そのため、移動端末が録画機能を有している場合でも、ユーザが番組の視聴を中断していた時間が長い場合などに、視聴を中断した点以降の番組が完全には録画されない場合があるという問題があった。
【０００６】
また、特許文献１の技術を利用しても、ユーザは、実際に視聴した番組に基づいてプレイリストを作成する必要があるため、番組の視聴を中断した後、中断した点から視聴を再開することは容易ではない。
【０００７】
本発明はこのような状況に鑑みてなされたものであり、ユーザが移動端末などの受信装置において番組の視聴を中断した後、中断した点から視聴を再開することを一層確実かつ容易にする技術を提供することを目的とする。
【課題を解決するための手段】
【０００８】
上記課題を解決するために、第１の本発明は、テレビジョン放送を受信する受信手段と、前記受信手段が受信した放送番組に係る画像を表示する表示部と、前記受信手段が受信中の放送番組を示す番組情報を外部の記録装置へ送信する第１送信手段と、前記受信中の放送番組の前記表示部による表示を中断した中断箇所を示す中断情報を前記記録装置へ送信する第２送信手段と、前記記録装置が前記番組情報に基づいて記録した放送番組のデータであって、前記表示部による表示を中断した放送番組の前記中断箇所以降のデータの再生を指示する再生指示情報を前記記録装置へ送信する第３送信手段と、を備えることを特徴とする受信装置提供する。
【０００９】
また、第２の本発明は、テレビジョン放送を受信する第１受信手段と、表示部を備える外部の受信装置が受信中のテレビジョン放送番組を示す番組情報を、前記受信装置から受信する第２受信手段と、前記番組情報が示す放送番組を前記第１受信手段により受信し、前記受信した放送番組のデータを記録する記録手段と、前記受信装置が前記受信中の放送番組の前記表示部による表示を中断した中断箇所を示す中断情報を前記受信装置から受信する第３受信手段と、前記中断情報が示す中断箇所を、前記記録手段が記録した放送番組のデータ中の再生開始点として記憶する記憶手段と、を備えることを特徴とする記録装置を提供する。
【００１０】
また、第３の本発明は、受信装置と記録装置とを備える記録再生システムであって、前記受信装置は、テレビジョン放送を受信する受信手段と、前記受信手段が受信した放送番組に係る画像を表示する表示部と、前記受信手段が受信中の放送番組を示す番組情報を外部の記録装置へ送信する第１送信手段と、前記受信中の放送番組の前記表示部による表示を中断した中断箇所を示す中断情報を前記記録装置へ送信する第２送信手段と、前記記録装置が前記番組情報に基づいて記録した放送番組のデータであって、前記表示部による表示を中断した放送番組の前記中断箇所以降のデータの再生を指示する再生指示情報を前記記録装置へ送信する第３送信手段と、を備え、前記記録装置は、テレビジョン放送を受信する第１受信手段と、前記番組情報を前記受信装置から受信する第２受信手段と、前記番組情報が示す放送番組を前記第１受信手段により受信し、前記受信した放送番組のデータを記録する記録手段と、前記中断情報を前記受信装置から受信する第３受信手段と、前記中断情報が示す中断箇所を、前記記録手段が記録した放送番組のデータ中の再生開始点として記憶する記憶手段と、前記再生指示情報を受信する第４受信手段と、前記第４受信手段により前記再生指示情報を受信すると、前記記録手段が記録した放送番組のデータを前記再生開始点より再生して出力する再生出力手段と、を備えることを特徴とする記録再生システムを提供する。
【００１１】
また、第４の本発明は、テレビジョン放送を受信する受信手段と、前記受信手段が受信した放送番組に係る画像を表示する表示部と、を備える受信装置の制御方法であって、前記受信手段が受信中の放送番組を示す番組情報を外部の記録装置へ送信する第１送信工程と、前記受信中の放送番組の前記表示部による表示を中断した中断箇所を示す中断情報を前記記録装置へ送信する第２送信工程と、前記記録装置が前記番組情報に基づいて記録した放送番組のデータであって、前記表示部による表示を中断した放送番組の前記中断箇所以降のデータの再生を指示する再生指示情報を前記記録装置へ送信する第３送信工程と、を備えることを特徴とする制御方法を提供する。
【００１２】
また、第５の本発明は、テレビジョン放送を受信する第１受信手段を備える記録装置の制御方法であって、表示部を備える外部の受信装置が受信中のテレビジョン放送番組を示す番組情報を、前記受信装置から受信する第２受信工程と、前記番組情報が示す放送番組を前記第１受信手段により受信し、前記受信した放送番組のデータを記録する記録工程と、前記受信装置が前記受信中の放送番組の前記表示部による表示を中断した中断箇所を示す中断情報を前記受信装置から受信する第３受信工程と、前記中断情報が示す中断箇所を、前記記録工程において記録された放送番組のデータ中の再生開始点として記憶する記憶工程と、を備えることを特徴とする制御方法を提供する。
【００１３】
尚、その他の本発明の特徴は、添付図面及び以下の発明を実施するための最良の形態における記載によって更に明らかになるものである。
【発明の効果】
【００１４】
以上の構成により、本発明によれば、ユーザが移動端末などの受信装置において番組の視聴を中断した後、中断した点から視聴を再開することを一層確実かつ容易にすることが可能となる。
【発明を実施するための最良の形態】
【００１５】
以下、添付図面を参照して、本発明の実施形態を説明する。以下で説明される個別の実施形態は、本発明の上位概念、中位概念および下位概念など種々の概念を理解するために役立つであろう。
【００１６】
尚、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１７】
また、以下の各実施形態では、据置型テレビジョン向けの地上波デジタル放送（以下、単に「地上波デジタル放送」と呼ぶ）及びワンセグ放送が、同一の番組を放送するサイマル放送であるものとする。そして、据置型のＨＤＤ（ハードディスクドライブ）レコーダなどの録画装置（記録装置）が地上波デジタル放送を受信し、携帯電話などの移動端末がワンセグ放送を受信する。しかし、以下の各実施形態では、録画装置と移動端末が同一の番組を同時に受信できればよく、受信する放送の種類は限定されない。例えば、録画装置と移動端末が共に地上波アナログ放送を受信する場合にも、以下の各実施形態を適用可能である。
【００１８】
更に、以下の各実施形態で説明する移動端末は、必ずしも移動可能な端末である必要はなく、あらゆる受信装置に対して本発明を適用可能である。
【００１９】
［第１の実施形態］
図１は、地上波デジタル放送及びワンセグ放送の送受信の様子を示す図である。
【００２０】
１１は地上波デジタル放送の放送局、１２はアンテナ、１３ａはＨＤＤレコーダ、１３ｂはＤＴＶ（デジタルＴＶ）、１４はワンセグ放送を受信可能な携帯電話、１５は携帯電話会社のゲートウェイ、１６はインターネット網である。ＨＤＤレコーダ１３ａとＤＴＶ１３ｂは一体化されていても構わない。
【００２１】
図１において、放送局１１から配信される番組（コンテンツ）は、１２セグメントを使ったＭＰＥＧ２形式（フォーマット）と１セグメントを使ったＨ２６４形式でアンテナ１２から送出される。家庭内などに設置されたＨＤＤレコーダ１３ａは、アンテナ１２より送出された放送波を受信し、ＭＰＥＧ２形式の番組を記録する。また、携帯電話１４は、アンテナ１２より送出された放送波を受信し、Ｈ２６４形式の番組をディスプレイに表示する。これにより、同一の番組がＨＤＤレコーダ１３ａと携帯電話１４で受信される。
【００２２】
また、携帯電話１４は、携帯電話会社が提供する無線ネットワークに接続されており、この無線ネットワークは携帯電話会社のゲートウェイ１５からインターネット網１６に接続されている。一方、ＨＤＤレコーダ１３ａもインターネット網１６に接続されている。従って、ＨＤＤレコーダ１３ａと携帯電話１４は、インターネット網１６を介して通信可能である。
【００２３】
図２は、ＨＤＤレコーダ１３ａの構成を示す機能ブロック図である。図２において、本実施形態にとって重要ではない構成要素（例えば、ＤＶＤドライブなど）は省略されている。
【００２４】
チューナ２０１は、地上デジタル放送用のチューナであり、地上デジタル放送のアンテナ２１を介して受信した放送波から特定のチャネルを選択し、選択したチャネルのデータを復調器２０２へ出力する。復調器２０２へ出力されるデータは、ＱＰＳＫ変調（他の変調方式の場合もある）され、更に、ＭＰＥＧ２符号化されているデータである。
【００２５】
復調器２０２は、チューナ２０１が出力したデータを復調し、復号器２０３へ出力する。
【００２６】
復号器２０３は、復調器２０２が出力したデータを復号し、ＤＴＶ１３ｂへ出力する。これにより、放送波により搬送された番組（放送番組）が、ＤＴＶ１３ｂに表示される。
【００２７】
制御部２０４は、ＨＤＤレコーダ１３ａの各構成要素を制御する。具体的には、例えば、チューナ２０１によるチャネルの選択を制御したり、復調器２０２及びＨＤＤ２０５を制御して復調器２０２が出力するＭＰＥＧ２形式のデータＨＤＤ２０５に格納したり（即ち、番組を録画したり）する。
【００２８】
ＨＤＤ２０５は、録画対象の番組のデータを格納するための記憶装置である。ＨＤＤ２０５の記憶容量は、一般的に、携帯電話１４が備える記憶媒体等の記憶容量よりもかなり大きいため、長時間の番組をＨＤＤ２０５に格納することが可能である。
【００２９】
ＩｒＤＡ２０６は、赤外線による通信を行う。ＨＤＤレコーダ１３ａは、ＩｒＤＡ２０６を用いて、携帯電話１４とデータを送受信したり、リモコン（リモートコントローラ）２２から録画開始の指示などを受けたりすることができる。
【００３０】
ネットワークＩ／Ｆ２０７は、インターネット１６とデータを送受信するためのインタフェースであり、例えばイーサネット（登録商標）Ｉ／ＦやＩＥＥＥ８０２．１１ｇＩ／Ｆなどである。
【００３１】
バス２０８は、ＨＤＤレコーダ１３ａの各構成要素間で送受信されるデータの通信路である。
【００３２】
尚、ＨＤＤレコーダ１３ａは、赤外線による通信やインターネット網１６を介した通信以外の通信方式により、外部装置（特に、携帯電話１４）とデータを送受信してもよい。具体的には、例えば、赤外線やＢｌｕｅｔｏｏｔｈ（登録商標）による近距離無線通信や、電話通信網を含む無線通信網による通信方式が含まれる。
【００３３】
図３は、携帯電話１４の構成を示す機能ブロック図である。図３において、本実施形態にとって重要ではない構成要素（例えば、メモリカードスロットなど）は省略されている。
【００３４】
チューナ３０１は、ワンセグ放送用のチューナであり、ワンセグ放送のアンテナ２３を介して受信した放送波から特定のチャネルを選択し、選択したチャネルのデータを復調器３０２へ出力する。復調器３０２へ出力されるデータは、ＱＰＳＫ変調され、更に、Ｈ２６４符号化されているデータである。
【００３５】
復調器３０２は、チューナ３０１が出力したデータを復調し、復号器３０３へ出力する。
【００３６】
復号器３０３は、復調器３０２が出力したデータを復号し、ディスプレイ３０４へ出力する。これにより、放送波により搬送された番組が、ディスプレイ３０４に表示される。
【００３７】
ディスプレイ３０４は、ＴＦＴ液晶パネルなどにより構成される表示部であり、携帯電話１４が受信した番組や、携帯電話１４のメニュー画面などを表示する。
【００３８】
制御部３０５は、携帯電話１４の各構成要素を制御する。具体的には、例えば、チューナ３０１によるチャネルの選択を制御したり、電話部３０６による発呼を制御したりする。
【００３９】
電話部３０６は、携帯電話の電話機能（発呼、着呼、音声データの符号化／復号化など）を司る機能ブロックを１つにまとめて示すものである。
【００４０】
操作部３０７は、携帯電話１４がユーザから指示を受け付けるためのインタフェースであり、数字ボタンなどを含む。
【００４１】
ＩｒＤＡ３０８は、赤外線による通信を行う。携帯電話１４は、ＩｒＤＡ３０８を用いて、ＨＤＤレコーダ１３ａとデータを送受信することができる。
【００４２】
ネットワークＩ／Ｆ３０９は、ゲートウェイ１５を介してインターネット１６とデータを送受信するためのインタフェースである。
【００４３】
バス３１０は、携帯電話１４の各構成要素間で送受信されるデータの通信路である。
【００４４】
尚、携帯電話１４は、赤外線による通信やインターネット網１６を介した通信以外の通信方式により、外部装置（特に、ＨＤＤレコーダ１３ａ）とデータを送受信してもよい。具体的には、例えば、赤外線やＢｌｕｅｔｏｏｔｈ（登録商標）による近距離無線通信や、電話通信網を含む無線通信網による通信方式が含まれる。
【００４５】
＜番組視聴手順の概要＞
携帯電話１４のユーザが電車内でワンセグ放送を視聴する例を用いて、本実施形態に係る番組視聴手順の概要を説明する。電車内でユーザが番組の表示（視聴）を開始すると、携帯電話１４は、受信中の番組を示す番組情報（例えば、チャネル番号や放送局名など）をＨＤＤレコーダ１３ａへ送信する。また、携帯電話１４は、受信中の番組をディスプレイ３０４に表示する。ＨＤＤレコーダ１３ａは、番組情報を受信すると、携帯電話１４が表示中の番組と同一の番組を地上波デジタル放送から受信して録画する。
【００４６】
ユーザが降車駅に到着すると、ディスプレイ３０４による番組の表示を中断する。そして、携帯電話１４は、中断箇所を示す中断情報をＨＤＤレコーダ１３ａへ送信する。中断情報は、番組の表示を中断した時刻や、中断時の画像のシーケンスナンバーやフレームナンバーなどの情報を含む。ＨＤＤレコーダ１３ａは、中断情報を受信すると、録画中の番組において中断情報が示す箇所を、再生の開始点（再生開始点）としてＨＤＤ２０５に記憶する。
【００４７】
ユーザは帰宅すると、ＨＤＤレコーダ１３ａに録画した番組の再生を指示する。すると、ＨＤＤレコーダ１３ａは、録画した番組の中断情報が示す箇所から再生を開始し、ＤＴＶ１３ｂに出力する。
【００４８】
尚、ＨＤＤレコーダ１３ａは、中断情報の受信後、録画中の番組が終了すると録画を停止しても構わない。
【００４９】
また、ユーザは、何度か電車を乗り換えて目的地に向かう場合もある。この場合、乗り換えの度に番組情報と中断情報がＨＤＤレコーダ１３ａへ送信される。従って、ＨＤＤレコーダ１３ａが録画した番組の再生を開始する箇所は、最後に受信した中断情報が示す箇所である。
【００５０】
＜番組視聴手順の詳細＞
図４及び図５を参照して、本実施形態に係る番組の視聴（受信と表示）を開始、中断、及び、再開する処理の流れを詳細に説明する。
【００５１】
図４は、第１の実施形態に係る携帯電話１４の処理の流れを示すフローチャートである。
【００５２】
ステップＳ４０１で、携帯電話１４の制御部３０５は、操作部３０７を介してユーザから番組を表示する指示を受けたか否かを判定する。番組を表示する指示を受けた場合はステップＳ４０２に進み、そうでない場合はステップＳ４０６に進む。
【００５３】
ステップＳ４０２で、制御部３０５は、チューナ３０１、復調器３０２、復号器３０３、及び、ディスプレイ３０４を用いて番組の受信及び表示を開始する。番組の表示を開始すると、制御部３０５は、ネットワークＩ／Ｆ３０９を介して番組情報をＨＤＤレコーダ１３ａへ送信する。
【００５４】
ステップＳ４０３で、制御部３０５は、チューナ３０１が受信中のチャネルが変更されたか否かを判定する。変更された場合はステップＳ４０２に戻って、制御部３０５は、変更後のチャンネルの番組に関する番組情報をＨＤＤレコーダ１３ａへ送信する。変更されていない場合はステップＳ４０４に進む。
【００５５】
ステップＳ４０４で、制御部３０５は、操作部３０７を介してユーザから番組の表示を中断する指示を受けたか否かを判定する。番組の表示を中断する指示を受けた場合はステップＳ４０５に進み、そうでない場合はステップＳ４０３に戻る。ステップＳ４０４においては、制御部３０５は、例えば折畳式の携帯電話が折畳まれてディスプレイ３０４がユーザに見えない状態になったことも、番組の表示を中断する指示と解釈してもよい。
【００５６】
ステップＳ４０５で、制御部３０５は、番組の表示を中断し、ネットワークＩ／Ｆ３０９を介して中断情報をＨＤＤレコーダ１３ａへ送信する。次いで、ステップＳ４０１に戻る。
【００５７】
一方、ステップＳ４０１において、制御部３０５が番組を表示する指示を受けていない場合は、ステップＳ４０６に進む。
【００５８】
ステップＳ４０６で、制御部３０５は、操作部３０７を介してユーザから番組の表示を再開する指示（表示再開指示）を受けたか否かを判定する。番組の表示を再開する指示を受けた場合はステップＳ４０７に進み、そうでない場合はステップＳ４０１に戻る。
【００５９】
ステップＳ４０７で、制御部３０５は、ＩｒＤＡ３０８又はネットワークＩ／Ｆ３０９を介して、ステップＳ４０５で中断した番組の再生を指示する情報（再生指示情報）をＨＤＤレコーダ１３ａへ送信する。
【００６０】
図５は、第１の実施形態に係るＨＤＤレコーダ１３ａの処理の流れを示すフローチャートである。
【００６１】
ステップＳ５０１で、ＨＤＤレコーダ１３ａの制御部２０４は、ネットワークＩ／Ｆ２０７を介して番組情報を受信したか否かを判定する。受信した場合はステップＳ５０２に進み、受信していない場合はステップＳ５０５に進む。
【００６２】
ステップＳ５０２で、制御部２０４は、現在番組を録画中（ＨＤＤ２０５に記録中）であるか否かを判定する。録画中であれば、ステップＳ５０３に進み、録画中で無ければステップＳ５０４に進む。
【００６３】
ステップＳ５０３の処理が行われるのは、制御部２０４が番組情報を複数回受信した場合、即ち、図４のステップＳ４０３においてチャネルの変更が行われた場合である。そこで、制御部２０４は、チューナ２０１で選択するチャネルを番組情報が示すチャネルに変更し、変更後のチャネルの番組に関して録画を継続する。録画される番組は、ＭＰＥＧ２形式のデータでＨＤＤ２０５に格納される。次いで、ステップＳ５０１に戻る。
【００６４】
ステップＳ５０４で、制御部２０４は、チューナ２０１、復調器２０２、及び、ＨＤＤ２０５を用いて、番組情報が示すチャネルの番組の録画を開始する。録画される番組は、ＭＰＥＧ２形式のデータでＨＤＤ２０５に格納される。次いで、ステップＳ５０１に戻る。
【００６５】
ステップＳ５０１において、制御部２０４が番組情報を受信していない場合は、ステップＳ５０５に進む。
【００６６】
ステップＳ５０５では、制御部２０４は、ネットワークＩ／Ｆ２０７を介して中断情報を受信したか否かを判定する。受信した場合はステップＳ５０６に進み、受信していない場合はステップＳ５０７に進む。
【００６７】
ステップＳ５０６で、制御部２０４は、中断情報が示す中断箇所を、録画中の番組に関する再生時の開始点（再生開始点）として、ＨＤＤ２０５に記憶し、ステップＳ５０１に戻る。
【００６８】
一方、ステップＳ５０７では、制御部２０４は、ＩｒＤＡ２０６又はネットワークＩ／Ｆ２０７を介して再生指示情報を受信したか否かを判定する。受信した場合はステップＳ５０８に進み、受信していない場合はステップＳ５０１に戻る。
【００６９】
ステップＳ５０８で、制御部２０４は、ステップＳ５０３又はＳ５０４で録画した番組について、ステップＳ５０６で記憶した再生開始点以降を再生し、ＤＴＶ１３ｂに表示する。これにより、電車を降りる際などに番組の視聴（表示）を中断した（図４のステップＳ４０５）ユーザは、ＨＤＤレコーダ１３ａ及びＤＴＶ１３ｂを用いて続きを再生する（図５のステップＳ５０８）ことが可能である。
【００７０】
ここで、ＨＤＤレコーダ１３ａは、番組情報を受信する前から常に何らかのチャネルの番組を録画し、番組情報を受信する度に、録画対象のチャネルを変更してもよい。この場合、図５のステップＳ５０２及びＳ５０４は不要となり、ステップＳ５０１における判断が「ＹＥＳ」の場合は、常にステップＳ５０３に進む。また、ステップＳ５０３において録画対象のチャネルが変更された場合は、ＨＤＤレコーダ１３ａは、変更前のチャネルに関して録画済のデータを廃棄してもよい。
【００７１】
また、ＨＤＤレコーダ１３ａは、中断情報の受信後、録画中の番組が終了した場合は、録画を停止してもよい。
【００７２】
＜変形例＞
次に、第１の実施形態の変形例を説明する。
【００７３】
（１）携帯電話１４の制御部３０５は、受信するチャネルが変更されたことを、番組の表示を中断する指示と解釈してもよい。この場合、図４のステップＳ４０３は不要であり、チャネルの変更に起因してステップＳ４０５からステップＳ４０１へ戻った場合は、制御部３０５は、変更後のチャネルの番組を表示する指示を受けたと解釈してステップＳ４０２へ進む。
【００７４】
（２）携帯電話１４の制御部３０５は、番組の表示を中断した時に中断情報を送信する代わりに、再生指示情報と併せて中断情報を送信してもよい。この場合、図４のステップＳ４０５は不要であり、ステップＳ４０７で、制御部３０５は、ＩｒＤＡ３０８又はネットワークＩ／Ｆ３０９を介して中断情報及び再生指示情報をＨＤＤレコーダ１３ａへ送信する。
【００７５】
（３）再生指示情報は、携帯電話１４からではなく、リモコン２２（図２）又はＨＤＤレコーダ１３ａの操作パネル（不図示）によりＨＤＤレコーダ１３ａに入力されてもよい。この場合、図４のステップＳ４０６及びＳ４０７は不要であり、ユーザは、携帯電話１４を使用することなく、視聴を中断した番組の続きをＤＴＶ１３ｂで視聴することができる。
【００７６】
以上説明したように、本実施形態によれば、携帯電話１４が番組の表示を開始すると、ＨＤＤレコーダ１３ａは同じ番組の録画を開始する。次に、携帯電話１４がディスプレイ３０４による番組の表示を中断すると、ＨＤＤレコーダ１３ａは中断箇所を録画中の番組の再生開始点として記憶する。そして、ＨＤＤレコーダ１３ａは、再生指示情報を受信すると、録画した番組の再生開始点以降をＤＴＶ１３ｂで表示するように再生する。ここで、番組の録画先であるＨＤＤレコーダ１３ａのＨＤＤ２０５は、番組を長時間録画するのに十分な記憶容量を持つ。
【００７７】
これにより、ユーザが移動端末において番組の視聴を中断した後、中断した点から視聴を再開することを一層確実かつ容易にすることが可能となる。
【００７８】
［第２の実施形態］
第１の実施形態では、ユーザが移動端末において番組の視聴を中断した後、中断した点から視聴を再開するためには、ＨＤＤレコーダ１３ａ及びＤＴＶ１３ｂが設置されている場所まで行く必要がある。これに対し、第２の実施形態によれば、ユーザは、視聴を中断した番組の続きを、携帯電話１４のディスプレイ３０４で視聴することが可能になる。
【００７９】
尚、本実施形態において、放送システム、ＨＤＤレコーダ１３ａ、及び、携帯電話１４の構成は第１の実施形態と同様であるため、その説明を省略する（図１乃至図３参照）。
【００８０】
図６は、第２の実施形態に係る携帯電話１４の処理の流れを示すフローチャートである。図６において、第１の実施形態（図４）と同一の処理を行うステップには同一の符号を付し、説明を省略する。
【００８１】
第２の実施形態では、ステップＳ４０７で携帯電話１４の制御部３０５がネットワークＩ／Ｆ３０９を介して再生指示情報をＨＤＤレコーダ１３ａへ送信すると、ステップＳ６０１に進む。
【００８２】
ステップＳ６０１で、制御部３０５は、ステップＳ４０５で表示を中断した番組の中断箇所以降のデータを、ネットワークＩ／Ｆ３０９を介してＨＤＤレコーダ１３ａから受信してディスプレイ３０４に表示する。
【００８３】
ステップＳ６０２で、制御部３０５は、ステップＳ４０４と同様、番組の表示を中断する指示を受信したか否かを判定する。受信した場合はステップＳ４０５に進み、受信していない場合はステップＳ６０３に進む。
【００８４】
ステップＳ６０３で、制御部３０５は、受信して表示中の番組が終了したか否か、即ち、ＨＤＤレコーダ１３ａが録画した番組を最後まで受信したか否かを判定する。番組が終了した場合はステップＳ４０１に戻る。終了していない場合は、ステップＳ６０１に戻り、番組データの受信と表示を継続する。
【００８５】
図７は、第２の実施形態に係るＨＤＤレコーダ１３ａの処理の流れを示すフローチャートである。図７において、第１の実施形態（図５）と同一の処理を行うステップには同一の符号を付し、説明を省略する。
【００８６】
ステップＳ７０１で、ＨＤＤレコーダ１３ａの制御部２０４は、ステップＳ５０３又はＳ５０４で録画した番組について、ステップＳ５０６で記憶した再生開始点以降のデータをＨＤＤ２０５から再生する。そして、再生したデータをＭＰＥＧ２形式からＨ２６４形式に変換する。そして、ネットワークＩ／Ｆ２０７を介して携帯電話１４へ送信する。
【００８７】
尚、番組データのＭＰＥＧ２形式からＨ２６４形式への符号化形式の変換は、制御部２０４がソフトウェア処理によって行ってもよく、ＨＤＤレコーダ１３ａが備えるトランスコーダを用いたハードウェア処理によって行ってもよい。また、送信と同時に符号化形式を変換するのではなく、番組の録画と並行して、制御部２０４がソフトウェア処理又はハードウェア処理によって符号化形式を変換し、変換後の番組のデータをＨＤＤ２０５に格納してもよい。
【００８８】
また、携帯電話１４がＭＰＥＧ２形式のデータをデコードできる場合は、ステップＳ７０１において、ＨＤＤレコーダ１３ａの制御部２０４は、コーデックを変換することなく番組のデータを携帯電話１４へ送信してもよい。
【００８９】
＜変形例＞
次に、第２の実施形態の変形例を説明する。
【００９０】
（１）第１の実施形態で説明した変形例の（１）は、第２の実施形態にも適用可能である。
【００９１】
（２）ＨＤＤレコーダ１３ａがワンセグ放送用のアンテナ及びチューナを備えてもよい。この場合、ＨＤＤレコーダ１３ａは、図７のステップＳ５０３及びＳ５０４において、ワンセグ放送により受信した番組の録画を開始する。録画される番組のデータ形式は、Ｈ２６４形式でＨＤＤ２０５に格納される。そのため、ステップＳ７０１において、制御部２０４は、コーデックの変換を行うことなく番組のデータを携帯電話１４へ送信することができる。
【００９２】
（３）第１の実施形態と第２の実施形態を組み合わせ、視聴を中断した番組の続きをＤＴＶ１３ｂで視聴するか、携帯電話１４のディスプレイ３０４で視聴するかをユーザが選択できるようにしてもよい。そのためには、例えば、図４又は図６のステップＳ４０６において携帯電話１４がユーザから受け付けた指示に基づいて、携帯電話１４は、異なる内容の再生指示情報を送信する。即ち、再生指示情報は、ＨＤＤレコーダ１３ａが再生した番組の出力先を指定する出力先情報を含む。指定される出力先は、ＤＴＶ１３ｂでもよいし、携帯電話１４でもよいし、その他の表示装置でもよい。ＨＤＤレコーダ１３ａは、受信した再生指示情報に含まれる出力先情報に基づいて、録画した番組の再生開始点以降を再生してＤＴＶ１３ｂに出力するか、インターネット網１６を介して携帯電話１４へ出力（送信）するか、或いは、他の表示装置へ出力する。
【００９３】
以上説明したように、本実施形態によれば、携帯電話１４が再生指示情報をＨＤＤレコーダ１３ａへ送信すると、ＨＤＤレコーダ１３ａは、録画した番組について、中断箇所（開始点）以降のデータを携帯電話１４へ送信する。
【００９４】
これにより、ユーザは、視聴を中断した番組の続きを、携帯電話１４のディスプレイ３０４で視聴することが可能になる。
【００９５】
［その他の実施形態］
上述した各実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００９６】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００９７】
更に、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００９８】
【図１】地上波デジタル放送及びワンセグ放送の送受信の様子を示す図である。
【図２】ＨＤＤレコーダ１３ａの構成を示す機能ブロック図である。
【図３】携帯電話１４の構成を示す機能ブロック図である。
【図４】第１の実施形態に係る携帯電話１４の処理の流れを示すフローチャートである。
【図５】第１の実施形態に係るＨＤＤレコーダ１３ａの処理の流れを示すフローチャートである。
【図６】第２の実施形態に係る携帯電話１４の処理の流れを示すフローチャートである。
【図７】第２の実施形態に係るＨＤＤレコーダ１３ａの処理の流れを示すフローチャートである。
【符号の説明】
【００９９】
１１  放送局
１２  アンテナ
１３ａ  ＨＤＤ（ハードディスクドライブ）レコーダ
１３ｂ  ＤＴＶ（デジタルＴＶ）
１４  携帯電話
１５  ゲートウェイ
１６  インターネット網
【図１】
2008124651.tif 000003
【図２】
2008124651.tif 000004
【図３】
2008124651.tif 000005
【図４】
2008124651.tif 000006
【図５】
2008124651.tif 000007
【図６】
2008124651.tif 000008
【図７】
2008124651.tif 000009